【手続補正書】
【提出日】平成26年12月29日(2014.12.29)
【手続補正１】
【補正対象書類名】特許請求の範囲
【補正対象項目名】全文
【補正方法】変更
【補正の内容】
【特許請求の範囲】
【請求項１】
下張り面材及び上張り面材を建込んで壁面を形成する乾式工法の軽量耐火間仕切壁の目地構造において、
前記下張り面材に上張りされる前記上張り面材の隣接側面を相互離間して、目透し目地を前記側面の間に形成するとともに、前記下張り面材により前記目透し目地の目地底を形成し、通気性を有する不燃繊維材料の帯状材を前記目地底に敷設し、該目地底を前記帯状材によって室内空間から隠蔽したことを特徴とする軽量耐火間仕切壁の目地構造。
【請求項２】
下張り面材及び上張り面材を建込んで壁面を形成する乾式工法の軽量耐火間仕切壁の目地構造において、
前記下張り面材に上張りされる前記上張り面材の隣接側面を相互離間して、目透し目地を前記側面の間に形成するとともに、前記下張り面材により前記目透し目地の目地底を形成し、該目地底に位置する前記下張り面材の突付け目地を前記目透し目地の目地幅に亘ってシール材によって気密処理したことを特徴とする軽量耐火間仕切壁の目地構造。
【請求項３】
前記下張り面材及び上張り面材が同一の板厚を有することを特徴とする請求項１又は２に記載の目地構造。
【請求項４】
前記下張り面材が厚さ１２．５ｍｍ厚の石膏ボードであることを特徴とする請求項１又は２に記載の目地構造。
【請求項５】
前記下張り面材及び上張り面材は、厚さ１２．５mmの石膏ボードであることを特徴とする請求項１又は２に記載の目地構造。
【請求項６】
前記帯状材は、２〜６mmの範囲内の厚さを有するロックウールのフェルト又は板体からなることを特徴とする請求項１に記載の目地構造。
【請求項７】
前記シール材は、ウレタン樹脂系シーリング材又は変性シリコン系シーリング材からなることを特徴とする請求項２に記載の目地構造。
【請求項８】
縦横方向又は水平・垂直方向に前記目透し目地と交差する前記下張り面材の突付け目地が設けられ、該突付け目地は、前記目透し目地の目地底に位置することを特徴とする請求項１乃至７のいずれか１項に記載の目地構造。
【請求項９】
下張り面材及び上張り面材を建込んで壁面を形成する乾式工法の軽量耐火間仕切壁における目地の施工方法において、
前記上張り面材を前記下張り面材に上張りするときに、隣接する前記上張り面材の側面を相互離間して、目透し目地を形成するとともに、前記下張り面材により前記目透し目地の目地底を形成し、
通気性を有する不燃繊維材料の帯状材を前記目地底に敷設し、該目地底を前記帯状材によって室内空間から隠蔽することを特徴とする軽量耐火間仕切壁の目地施工方法。
【請求項１０】
下張り面材及び上張り面材を建込んで壁面を形成する乾式工法の軽量耐火間仕切壁における目地の施工方法において、
前記上張り面材を前記下張り面材に上張りするときに、隣接する前記上張り面材の側面を相互離間して、目透し目地を形成するとともに、前記下張り面材により前記目透し目地の目地底を形成し、
該目地底に位置する前記下張り面材の突付け目地を前記目透し目地の目地幅に亘ってシール材によって気密処理することを特徴とする軽量耐火間仕切壁の目地施工方法。
【請求項１１】
前記下張り面材及び上張り面材が同一の板厚を有することを特徴とする請求項９又は１０に記載の目地施工方法。
【請求項１２】
前記下張り面材が厚さ１２．５ｍｍの石膏ボードであることを特徴とする請求項９又は１０に記載の目地施工方法。
【請求項１３】
前記下張り面材及び上張り面材は、厚さ１２．５mmの石膏ボードであることを特徴とする請求項９又は１０に記載の目地施工方法。
【請求項１４】
前記帯状材は、２〜６mmの範囲内の厚さを有するロックウールのフェルト又は板体からなることを特徴とする請求項９に記載の目地施工方法。 
【請求項１５】
前記シール材は、ウレタン樹脂系シーリング材又は変性シリコン系シーリング材からなることを特徴とする請求項１０に記載の目地施工方法。
【請求項１６】
縦横方向又は水平・垂直方向に前記目透し目地と交差する前記下張り面材の突付け目地が設けられ、該突付け目地は、前記目透し目地の目地底に位置することを特徴とする請求項９乃至１５のいずれか１項に記載の目地施工方法。
【請求項１７】
請求項１乃至８のいずれか１項に記載された目地構造を有する軽量耐火間仕切壁。
【請求項１８】
請求項９乃至１６のいずれか１項に記載された目地施工方法を用いた軽量耐火間仕切壁の施工方法。
【手続補正２】
【補正対象書類名】明細書
【補正対象項目名】００１４
【補正方法】変更
【補正の内容】
【００１４】
本発明は、上記目的を達成すべく、下張り面材及び上張り面材を建込んで壁面を形成する乾式工法の軽量耐火間仕切壁の目地構造において、
前記下張り面材に上張りされる前記上張り面材の隣接側面を相互離間して、目透し目地を前記側面の間に形成するとともに、前記下張り面材により前記目透し目地の目地底を形成し、通気性を有する不燃繊維材料の帯状材を前記目地底に敷設し、該目地底を前記帯状材によって室内空間から隠蔽したことを特徴とする軽量耐火間仕切壁の目地構造を提供する。
【手続補正３】
【補正対象書類名】明細書
【補正対象項目名】００１５
【補正方法】変更
【補正の内容】
【００１５】
他の観点より、本発明は、下張り面材及び上張り面材を建込んで壁面を形成する乾式工法の軽量耐火間仕切壁における目地の施工方法において、
前記上張り面材を前記下張り面材に上張りするときに、隣接する前記上張り面材の側面を相互離間して、目透し目地を形成するとともに、前記下張り面材により前記目透し目地の目地底を形成し、
通気性を有する不燃繊維材料の帯状材を前記目地底に敷設し、該目地底を前記帯状材によって室内空間から隠蔽することを特徴とする軽量耐火間仕切壁の目地施工方法を提供する。
【手続補正４】
【補正対象書類名】明細書
【補正対象項目名】００２２
【補正方法】変更
【補正の内容】
【００２２】
本発明は更に、下張り面材及び上張り面材を建込んで壁面を形成する乾式工法の軽量耐火間仕切壁の目地構造において、
前記下張り面材に上張りされる前記上張り面材の隣接側面を相互離間して、目透し目地を前記側面の間に形成するとともに、前記下張り面材により前記目透し目地の目地底を形成し、該目地底に位置する前記下張り面材の突付け目地を前記目透し目地の目地幅に亘ってシール材によって気密処理したことを特徴とする軽量耐火間仕切壁の目地構造を提供する。 
【手続補正５】
【補正対象書類名】明細書
【補正対象項目名】００２３
【補正方法】変更
【補正の内容】
【００２３】
他の観点より、本発明は、下張り面材及び上張り面材を建込んで壁面を形成する乾式工法の軽量耐火間仕切壁における目地の施工方法において、
前記上張り面材を前記下張り面材に上張りするときに、隣接する前記上張り面材の側面を相互離間して、目透し目地を形成するとともに、前記下張り面材により前記目透し目地の目地底を形成し、
該目地底に位置する前記下張り面材の突付け目地を前記目透し目地の目地幅に亘ってシール材によって気密処理することを特徴とする軽量耐火間仕切壁の目地施工方法を提供する。
【手続補正６】
【補正対象書類名】明細書
【補正対象項目名】００２４
【補正方法】変更
【補正の内容】
【００２４】
本発明の上記構成によれば、シール材は、熱ガスのガス圧上昇に起因して過大な隙間が下張り面材の目地部に発生するのを効果的に防止する。このような構成の目地構造によれば、軽量耐火間仕切壁の耐火性能は大きく低下又は劣化せず、従って、軽量耐火間仕切壁は、所要の耐火時間（１時間耐火）の耐火性能を発揮する。また、目透し目地は、上記の如く、クラック又は捩れ等が連続塗装表面又は連続クロス面に発生するのを防止する。更には、上張り面材の表面に施工される塗装又はクロス等の内装仕上げ材料の縁部を目透し目地の目地内に延入させることができるので、内装仕上げ材料の縁部の損傷、捲れ等を回避することができる。また、上記目地構造を施工するための本発明の目地施工方法によれば、上張り面材の施工後に下張り面材の突き付け目地を目透し目地の目地幅に亘ってのみ気密処理すれば良いので、作業上又は工程管理上、極めて有利である。
他の観点より、本発明は、上記構成の目地構造を有する軽量耐火間仕切壁を提供する。
更に他の観点より、本発明は、上記構成の目地施工方法を用いた軽量耐火間仕切壁の施工方法を提供する。
【手続補正７】
【補正対象書類名】明細書
【補正対象項目名】００１９
【補正方法】変更
【補正の内容】
【００１９】
好ましくは、縦横方向又は水平・垂直方向に前記目透し目地と交差する前記下張り面材の突付け目地が設けられ、該突付け目地は、前記目透し目地の目地底に位置する。
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】